(57)【要約】【課題】  建設作業現場等において簡易に使用し得る有効適切な仮設ケミカルフィルタユニットを提供する。【解決手段】  一端側に吸い込み口２を有し他端側に吹き出し口３を有し底部にはキャスタ９を備えて床面上を移動可能な横形筒状のケーシング４内に、ケミカルフィルタ５、送風機６、ＨＥＰＡフィルタ７を組み込む。ケミカルフィルタを装着したフィルタユニット１Ａと、送風機６およびＨＥＰＡフィルタ７とを組み込んだファンユニット１Ｂとをバックル錠８に分離可能に連結し、双方のユニットを独立に移動可能とする。長さ寸法が異なるのみで互換性を有する複数のタイプのフィルタユニットを共通のファンユニットに連結可能とする。【選択図】      図１
2006289273.tif 000002
【特許請求の範囲】
【請求項１】
一端側に吸い込み口を有するとともに他端側に吹き出し口を有し底部にはキャスタを備えて床面上を移動可能な横形筒状のケーシング内に、吸い込み口側からケミカルフィルタ、送風機、ＨＥＰＡフィルタをその順で組み込んでなることを特徴とする仮設ケミカルフィルタユニット。
【請求項２】
請求項１記載の仮設ケミカルフィルタユニットであって、
一端側に吸い込み口を有するとともに他端側が開放されたフィルタケーシング内にケミカルフィルタを装着したフィルタユニットと、一端側が開放され他端側に吹き出し口を有するファンケーシング内に送風機とＨＥＰＡフィルタとを組み込んだファンユニットとを構成要素として、それらフィルタユニットとファンユニットの開放端どうしを突き合わせてバックル錠により分離可能に連結してなり、
フィルタユニットおよびファンユニットの双方に、それぞれを独立に移動可能とするキャスターと移動の際の手がかりとなるハンドルとを備えてなることを特徴とする仮設ケミカルフィルタユニット。
【請求項３】
請求項２記載の仮設ケミカルフィルタユニットであって、
長さ寸法が異なるのみで互換性を有する複数のタイプのフィルタユニットを共通のファンユニットに連結可能としたことを特徴とする仮設ケミカルフィルタユニット。
【発明の詳細な説明】
【技術分野】
【０００１】
本発明は、たとえば建設作業現場において塗装作業を行う際に用いて好適な仮設ケミカルフィルタユニットに関する。
【背景技術】
【０００２】
周知のように、塗装作業には有機溶剤を使用することから、室内において塗装作業を行う際には十分な換気を行うことが必要であり、従来においては室内空気を排気ファンによって多量に外部に排気することが通常であるが、排気中には臭気等の有機系ガス成分が含まれているため、周囲の環境や状況によってはそのような排気を単にそのまま排出してしまうことは好ましくない場合があり、最近では排気に対して臭気等の有機系ガス成分を除去するための処理を行う必要も生じてきている。
【０００３】
排気中の臭気等の有機系ガス成分を除去するための有効適切な処理手法は確立されていないが、活性炭等の吸着材による吸着処理が有効であると考えられ、たとえば特許文献１に示されているようなケミカルフィルタユニットを用いることが検討されている。
【特許文献１】特開２００３−２１０９２６号公報
【発明の開示】
【発明が解決しようとする課題】
【０００４】
しかし、特許文献１に示されるケミカルフィルタユニットは、クリーンルーム内で発生するケミカル物質の除去を目的としてクリーンルーム内の床下チャンバーに設置することを想定した特殊で高価な機材であるから、これをそのまま建設作業現場において仮設機材として使用することは好ましくないし取り扱い難く使用し難いものである。そのため、そのような用途に好適に使用し得る有効適切な仮設機材の開発が望まれていた。
【課題を解決するための手段】
【０００５】
請求項１記載の発明の仮設ケミカルフィルタユニットは、一端側に吸い込み口を有するとともに他端側に吹き出し口を有し底部にはキャスタを備えて床面上を移動可能な横形筒状のケーシング内に、吸い込み口側からケミカルフィルタ、送風機、ＨＥＰＡフィルタをその順で組み込んでなることを特徴とするものである。
【０００６】
請求項２記載の発明の仮設ケミカルフィルタユニットは、一端側に吸い込み口を有するとともに他端側が開放されたフィルタケーシング内にケミカルフィルタを装着したフィルタユニットと、一端側が開放され他端側に吹き出し口を有するファンケーシング内に送風機とＨＥＰＡフィルタとを組み込んだファンユニットとを構成要素として、それらフィルタユニットとファンユニットの開放端どうしを突き合わせてバックル錠により分離可能に連結してなり、フィルタユニットおよびファンユニットの双方に、それぞれを独立に移動可能とするキャスターと移動の際の手がかりとなるハンドルとを備えてなることを特徴とするものである。
【０００７】
請求項３記載の発明の仮設ケミカルフィルタユニットは、長さ寸法が異なるのみで互換性を有する複数のタイプのフィルタユニットを共通のファンユニットに連結可能としたことを特徴とするものである。
【発明の効果】
【０００８】
本発明の仮設ケミカルフィルタユニットは、送風機とケミカルフィルタとＨＥＰＡフィルタを備えているので、これを所望位置に配置することのみで排気中の臭気等の有機系ガス成分を有効に除去できることはもとより、キャスタを備えているので所望位置へ自由に移動させて容易に配置でき、建設作業現場等において仮設機材として使用して有効である。
【０００９】
また、フィルタユニットとファンユニットとをバックル錠にて分離可能に連結し、かつ双方のユニットを独立に移動可能とし、そのためのハンドルを備えることにより、配置位置への搬出入や保守の際における取り扱いが特に容易である。さらに、長さ寸法が異なるのみで互換性を有する複数タイプのフィルタユニットを共通のファンユニットに連結可能とすることにより、最適なフィルタユニットを選択して様々な条件下での使用に幅広く対応することができ、仮設機材として特に有効である。
【発明を実施するための最良の形態】
【００１０】
図１は本発明の実施形態である仮設ケミカルフィルタユニット１の概略構成を示すものである。これは、一端側（図示左側）が吸い込み口２とされ他端側（図示右側）が吹き出し口３とされた角形断面の横形筒状のケーシング４内に、ケミカルフィルタ５、送風機６、ＨＥＰＡフィルタ７を一体に組み込んだ構成のものである。
【００１１】
より具体的には、このケミカルフィルタユニット１は、バックル錠８により分離可能に連結された２台のユニット、すなわちフィルタユニット１Ａとファンユニット１Ｂから構成されたものである。
【００１２】
フィルタユニット１Ａは、一端側（図示左側）に上記の吸い込み口２が設けられ他端側（図示右側）が開放されたフィルタケーシング４ａ内に、多数（図示例では１０枚）のケミカルフィルタ５を収納するものである。また、ファンユニット１Ｂは、一端側（図示左側）が開放され他端側（図示右側）に上記の吹き出し口３が設けられたファンケーシング４ｂ内に送風機６とＨＥＰＡフィルタ７とを組み込んだものである。そして、それらフィルタユニット１Ａとファンユニット１Ｂとは、双方の開放端どうしを突き合わせてバックル錠８により分離可能に連結され、これを現場に搬入したり現場から搬出する際、あるいは保守作業の際には、バックル錠８を外すことでフィルタユニット１Ａとファンユニット１Ｂとに容易に解体分離できるものであり、したがってその搬送や設置作業、撤去作業、保守作業を容易に行い得るものである。
【００１３】
上記のフィルタユニット１Ａおよびファンユニット１Ｂのそれぞれの底面にはキャスタ９が取り付けられていて、それぞれが独立に床面上を移動可能とされ、かつそれらを移動させる際の手がかりとなるハンドル１０が取り付けられていて、現場において作業員により所望位置に容易に移動させることができ、かつキャスタ９をストッパーにより固定することで所望位置に安定に定置できるものである。
【００１４】
また、フィルタユニット１Ａの吸い込み口２にはプレフィルタ１１が装着され、その外側にはダクト接続用の吸い込みチャンバ１２がバックル錠１３にて取り外し可能に取り付けられ、吸い込みチャンバ１２には仮設排気ダクトとして多用されているフレキシブルダクトが接続可能とされている。フィルタユニット１Ａをファンユニット１Ｂから切り離した状態ではその他端側が自ずと開放端となるので、ケミカルフィルタ５に対する保守や交換作業を後部側から容易に行い得るようになっている。また、それら吸い込みチャンバ１２およびプレフィルタ１１を取り外すことで、ファンケーシング４ａの一端側が開放されてそこからケミカルフィルタ５に対する保守を行うことが可能となっている。
【００１５】
一方、ファンユニット１Ｂの吹き出し口３にはプレフィルタ１４がバックル錠１５により取り外し可能に装着され、そのプレフィルタ１４を取り外して吹き出し口３を開放することでそこからＨＥＰＡフィルタ７に対する保守や交換作業を行い得るようになっている。また、ファンユニット１Ｂをフィルタユニット１Ａから切り離した状態ではその一端側が自ずと開放端となるので、そこから送風機６に対する保守作業が可能となっている。なお、吹き出し口３の外側にも、吸い込み口２と同様に、必要に応じて排気ダクトを着脱可能に接続可能としておくと良い。また、送風機６はインバータ制御により風量を調節可能とし、運転時間の積算計（アワーメータ）を備えてケミカルフィルタ５およびＨＥＰＡフィルタ７の実使用時間を計測することが好ましい。
【００１６】
このケミカルフィルタユニット１の処理風量や寸法は適宜設計すれば良いが、たとえば建設作業現場において塗装作業の際に使用するものとしては、処理風量を３５〜５０ｍ３／ｍｉｎ程度（インバータ制御により可変）、キャスタ９やハンドル１０を除く本体外形寸法を幅６００ｍｍ×高さ７００ｍｍ×長さ１５００ｍｍ（フィルタユニット８００ｍｍ＋ファンユニット７００ｍｍ）程度とすると良い。
【００１７】
上記の仮設ケミカルフィルタユニット１を、建設作業現場における塗装作業に際して適用する場合の使用形態を図２に示す。
【００１８】
図２（ａ）は塗装作業を行う作業エリア２０をたとえばシート等の簡易な遮蔽材２１により簡易に区画して、その作業エリア２０の内部から上記の仮設ケミカルフィルタユニット１によって外部まで直接的に排気するようにしたものである。すなわち、仮設ケミカルフィルタユニット１の吸い込み口２に接続したダクト２２を作業エリア２０内に差し込むとともに、吹き出し口３に接続したダクト２３を室外まで延長して、室内空気を作業エリア２０から吸い込んで外部に直接的に排気することとする。これにより、作業エリア２０において発生した臭気等の有機系ガス成分は室内全体に拡散することなく、送風機６により仮設ケミカルフィルタユニット１に吸い込まれ、そこでケミカルフィルタ５およびＨＥＰＡフィルタ７によって除去されてしまうから、それらの成分がそのまま外部に排出されてしまうことを有効に防止することができる。なお、ダクト２３の全長が長いような場合には、必要に応じてその途中に破線で示しているようにブースターファン２４を設置すれば良い。
【００１９】
図２（ｂ）は上記の仮設ケミカルフィルタユニット１により室内空気を循環させつつ臭気等の有機系ガス成分を除去するようにしたものである。この場合は、吹き出し口３を室内に開放して作業エリア２０において発生した臭気等の有機系ガス成分を仮設ケミカルフィルタユニット１により除去しつつ室内空気を循環させることにより、外部への排気を行わずともそれらの成分の濃度を十分に低下させることができる。なお、必要に応じて破線で示しているように排気ファン２５による室外への排気を併用しても良い。
【００２０】
以上で本発明の一実施形態を説明したが、本発明は上記実施形態に限定されるものではなく、適宜の設計的変更が可能である。たとえば、上記実施形態の仮設ケミカルフィルタユニット１におけるフィルタユニット１Ａは、汎用の標準サイズ（６００ｍｍ×６００ｍｍ）のケミカルフィルタ５を用いる場合の例であるが、ハーフサイズのケミカルフィルタ５を用いる場合には、図３に示すようにフィルタユニット１Ａの長さ寸法を短くすれば良い。そして、そのように長さ寸法が異なるのみで他は同様に構成して互換性を持たせた複数のタイプのフィルタユニット１Ａを予め製作しておき、必要に応じて最適なタイプのフィルタユニット１Ａを選択して共通のファンユニット１Ｂに対して連結して使用することとすれば、様々な条件下での使用に幅広く対応することが可能であり、様々な建設作業現場で使用するための仮設機材として特に有効である。
【００２１】
勿論、本発明の仮設ケミカルフィルタユニットは、塗装作業の場合に限らず各種の臭気等の有機系ガス成分を除去するための仮設機材として広く一般に適用できるものであり、使用目的や要求される性能に応じて、ケミカルフィルタやＨＥＰＡフィルタの形式や性能をはじめとして各部の構成を最適設計すれば良いし、場合によってはＨＥＰＡフィルタを取り外して使用することも可能である。
【図面の簡単な説明】
【００２２】
【図１】本発明の実施形態である仮設ケミカルフィルタユニットの概略構成図である。
【図２】同、使用形態を示す図である。
【図３】同、別タイプのフィルタユニットを使用した仮設ケミカルフィルタユニットを示す図である。
【符号の説明】
【００２３】
１  仮設ケミカルフィルタユニット
１Ａ  フィルタユニット
１Ｂ  ファンユニット
２  吸い込み口
３  吹き出し口
４  ケーシング
４ａ  フィルタケーシング
４ｂ  ファンケーシング
５  ケミカルフィルタ
６  送風機
７  ＨＥＰＡフィルタ
８  バックル錠
９  キャスタ
１０  ハンドル
【図１】
2006289273.tif 000003
【図２】
2006289273.tif 000004
【図３】
2006289273.tif 000005